(57)【特許請求の範囲】
【請求項１】
所定間隔で列設される少なくとも一対の支柱と、
支柱の前面及び後面に夫々取り付けた支持金具に一端を固定されて、前後に位置をずらして、前記支柱間に差し渡される上下一対の横杆と、
前記両横杆に上下両縁が固定され、両横杆間に湾曲状態で配設される可撓性を備えた遮蔽板と
を備えてなることを特徴とする区画柵。
【発明の詳細な説明】
【０００１】
【産業上の利用分野】
本発明は、簡易な腰掛け機能を備えた区画柵に関する。
【０００２】
【従来の技術】
一般に、区画柵は、公園等の花壇，植栽の周囲や、あるいはバスターミナルの乗車エリアの周囲等に設置され、所定区域を区画するために使用されている。
【０００３】
【発明が解決しようとする課題】
かかる区画柵にあって、所定間隔で列設した支柱間に数本の横杆を差し渡してなるものがあり、この横杆に公園を散歩する人やバスを待つ人等が腰を掛けることがよくある。ところがこのような区画柵は、人が腰を掛けることを考慮した構造で製作されていないため、横杆が臀部に馴染まず、体の安定性が悪く、座り心地がよくないものであった。
【０００４】
本発明は、かかる従来の実状に鑑みてその改善を試みたものであって、簡易な腰掛けとしても使用し得る区画柵の提供を目的とするものである。
【０００５】
【課題を解決するための手段】
本発明は、所定間隔で列設される少なくとも一対の支柱と、支柱の前面及び後面に夫々取り付けた支持金具に一端を固定されて、前後に位置をずらして、前記支柱間に差し渡される上下一対の横杆と、前記両横杆に上下両縁が固定され、両横杆間に湾曲状態で配設される可撓性を備えた遮蔽板とを備えてなることを特徴とする区画柵である。
【０００７】
【作用】
支柱間に差し渡された横杆と、該横杆に配設される遮蔽板とによって区画柵としての機能が得られる一方、前記遮蔽板を、前後に位置をずらした上下一対の横杆間に湾曲状態で配設したことによって、腰を掛けるための広い着座面積が確保され、その湾曲面に臀部が馴染んで座り易く、安定性のよい簡易な腰掛けとしての機能も得られる。
【０００８】
また、遮蔽板を可撓性を備えた板材で形成すれば、適宜のクッション性が得られ、座り心地をより向上させることができる。
【０００９】
【実施例】
本発明の一実施例を、図１〜図５について説明する。
【００１０】
図面において１は本発明に係る区画柵を示す。２は該区画柵１を構成する複数の支柱であって、各支柱２はアンカーボルト３が側方に突成された下端部を地盤４に埋設して所定間隔で一列状に列設される。また、該支柱２の本数は区画柵１の長さに応じて設定され、少なくとも二本の支柱２が左右一対に配設される。
【００１１】
各支柱２間には、上下一対の横杆５，５が差し渡され、該横杆５，５は支柱２の前面及び後面に夫々取り付けた支持金具６，６によって前後に位置をずらした状態で支柱２に固定される。
【００１２】
この支持金具６，６は、図４〜図５に示すように、夫々上下に分割形成された受け金具６ａと押え金具６ｂとからなり、受け金具６ａは、支柱２の所定位置に形成した螺子孔７，７に螺合されるボルト８，８によって該支柱２に取り付けられる。一方、押え金具６ｂは、受け金具６ａの上部にあてがわれ、ボルト９，９によって該受け金具６ａに固定される。
【００１３】
受け金具６ａと押え金具６ｂの左右両側縁には、上下で円形を構成する半円状のフランジ部１０ａ，１０ｂが夫々形成されており、前記のようにボルト８，８で支柱２に取り付けた受け金具６ａのそのフランジ部１０ａに前記各横杆５の端部を支承させた状態でその上方から押え金具６ｂをあてがい、該押え金具６ｂのフランジ部１０ｂを該横杆５の端部に被冠して押え金具６ｂをボルト９，９で受け金具６ａに固定することにより、各横杆５の端部を保持するようにしている。また、受け金具６ａの中央には仕切壁１０’が形成されており、該仕切壁１０’によって横杆５の端部の位置決めを行なうようにしている。
【００１４】
このように前後に位置をずらして各支柱２間に差し渡される上下一対の横杆５，５間には、遮蔽板１１が傾斜状態で配設される。該遮蔽板１１は下方に適宜に湾曲させて形成され、その上下両縁１１ａ，１１ｂをリベット１２や溶接等によって横杆５，５に固定するようにしている。この遮蔽板１１の好適な材質としては、適宜の可撓性を備えた板材がよく、この板材として、区画柵１にあっては耐候性が求められるため特に好適なものとして、無数の小孔１３を穿設して可撓性をよくしたステンレス板が挙げられる。その他、この板材として、同様の特性を備えた硬質合成樹脂板を用いたり、あるいは合成樹脂製シート等を用いてもよい。
【００１５】
このように遮蔽板１１に可撓性を備えた板材を用いることにより、着座時に適宜のクッション性が得られる。また、該遮蔽板１１は、生産工場において湾曲形成され、横杆５，５に取付けられて出荷されるため、施工現場において、遮蔽板１１が取付けられた横杆５，５を支持金具６，６で固定する際に、その可撓性を介して支持金具６，６の取付位置の寸法誤差が吸収され、横杆５，５の取付作業を容易とする作用が得られる。さらにまた、図６に示すように、各支持金具６の受け金具６ａを支柱２に固定するボルト８，８の挿通孔１４，１４を上下に延在する長孔状に形成し、受け金具６ａを上下方向に移動調節可能に設ければ、横杆５，５の取付作業が容易となる利点がある。尚、遮蔽板１１を無数の小孔１３を穿設したステンレス板で構成した場合には、その意匠性を高めることもできる。
【００１６】
かかる構成にあって、支柱２を所定間隔で列設し、該支柱２間に、支持金具６，６を介して端部が固定される上下一対の横杆５，５を前後に位置をずらして差し渡し、該横杆５，５に遮蔽板１１を湾曲状態で配設することにより、区画柵１として所定区域を区画することができる一方、遮蔽板１１によって腰を掛けるための広い着座面積が確保され、その湾曲面に臀部が馴染んで座り易く、安定性のよい簡易な腰掛けとして使用することができる。
【００１７】
【発明の効果】
本発明は上述のように、前後に位置をずらして支柱間に差し渡した上下一対の横杆に、遮蔽板を湾曲状態で配設することにより区画柵を構成するようにしたから、該遮蔽板上に腰を掛ければ広い着座面積が確保され、その湾曲面に臀部が馴染んで座り易く、安定性のよい簡易な腰掛けとして使用できる。
【００１８】
また、前記遮蔽板を可撓性を備えた板材で形成すれば適宜のクッション性が得られ、座り心地をより向上させることができるとともに、施工時における横杆の取付作業を容易に行なうことができる。
【００１９】
さらに横杆間に配設された遮蔽板が前後方向に傾斜して湾曲しているため、区画柵としては類稀な形状的な興趣に富み、その意匠性を高め得る等の優れた効果がある。
【図面の簡単な説明】
【図１】本発明に係る区画柵の一実施例を示す正面図である。
【図２】同上の側面図である。
【図３】同上の平面図である。
【図４】支柱に取り付けた支持金具の縦断側面図である。
【図５】支柱に取り付けた支持金具の縦断正面図である。
【図６】他の構成の支持金具の縦断正面図である。
【符号の説明】
１  区画柵
２  支柱
５  横杆
６  支持金具
１１  遮蔽板
【図１】
0003584078.tif 000002
【図２】
0003584078.tif 000003
【図３】
0003584078.tif 000004
【図４】
0003584078.tif 000005
【図５】
0003584078.tif 000006
【図６】
0003584078.tif 000007